(57)【特許請求の範囲】
【請求項１】
バースト信号を増幅処理し、増幅処理の初期化をリセット信号が入力された際に行うバースト受信手段と、
前記バースト信号を平滑化して得た平滑化パルス信号の後端と、この平滑化パルス信号を遅延して得た遅延パルス信号の後端と、の間のパルス状の前記リセット信号を生成するリセット生成手段と、
を備えたことを特徴とするバースト受信装置。
【請求項２】
前記リセット生成手段は、前記バースト信号を平滑化して得た平滑化パルス信号と、この平滑化パルス信号を遅延して得た遅延パルス信号との排他的論理和演算を行い、この排他的論理和演算の結果得られた信号の内、前記バースト信号の先端部に対応する信号をマスク処理し、マスク処理されない信号を前記リセット信号とすることを特徴とする請求項１に記載のバースト受信装置。
【請求項３】
前記リセット生成手段は、前記バースト信号を平滑化して得た平滑化パルス信号、及び、前記平滑化パルス信号を遅延した遅延パルス信号の何れか一方の信号と、他方の信号を反転した信号との論理積演算を行い、この論理積演算の結果得られた信号を前記リセット信号とすることを特徴とする請求項１に記載のバースト受信装置。
【請求項４】
前記増幅処理がバースト信号を一定振幅に増幅する処理、バースト信号の中間レベルにスレッショールドレベルを合わせて増幅する処理、及び、バースト信号の中間レベルがスレッショールドレベルとなるようにオフセットレベルを合わせて増幅する処理の何れか１つ又はそれらの組合せであることを特徴とする請求項１から３のいずれかに記載のバースト受信装置。
【請求項５】
受信した光バースト信号を電気バースト信号に変換する光／電気変換手段を有し、前記バースト信号が前記電気バースト信号であることを特徴とする請求項１から４のいずれかに記載のバースト受信装置。
【発明の詳細な説明】
【技術分野】
【０００１】
本発明は、光アクセス網における光バースト通信に適用されるバースト受信装置に関する。
【背景技術】
【０００２】
現在ではインターネットのブロードバンド化が進み伝送情報量が急速に増加しており、これに伴い大容量伝送が可能なアクセスシステムの光化が要求されている。この光化を経済的に構築できる光アクセス網として、図１（ａ）に示すＰＯＮ（Ｐａｓｓｉｖｅ  Ｏｐｔｉｃａｌ  Ｎｅｔｗｏｒｋ）システム１０がある。このＰＯＮシステム１０は、１つのＯＬＴ（Ｏｐｔｉｃａｌ  Ｌｉｎｅ  Ｔｅｒｍｉｎａｌ：光加入者線局内装置）１１を、複数のユーザ毎のＯＮＵ（Ｏｐｔｉｃａｌ  Ｎｅｔｗｏｒｋ  Ｕｎｉｔ：光加入者線宅内装置）１２−１〜１２−ｎで共有するように構築されている。
【０００３】
即ち、各ＯＮＵ１２−１〜１２−ｎの各々に接続された各光ファイバ１３−１〜１３−ｎが光カプラ１４に接続され、この光カプラ１４が１本の光ファイバ１５でＯＬＴ１１に接続されてＰＯＮシステム１０が構築されている。
【０００４】
ＯＬＴ１１は、光ファイバ１５に接続された波長多重装置１６と、バースト受信装置１７と、信号処理装置１８と、電気／光変換装置１９とを備えて構成されている。波長多重装置１６は、ＯＬＴ１１と各ＯＮＵ１２−１〜１２−ｎ間の光信号である上り及び下り信号を波長多重することによって一本の光ファイバ１５で伝送可能とするものである。各ＯＮＵ１２−１〜１２−ｎへ向かう下り信号は一般的な連続した信号が用いられるが、逆方向の上り信号は各ＯＮＵ１２−１〜１２−ｎ毎に個別に送信されるバースト状のパケット信号（光バースト信号）を時分割多重した信号が用いられる。この上りの光バースト信号は、各ＯＮＵ１２−１〜１２−ｎとＯＬＴ１１との距離が様々に異なるため、ＯＬＴ１１で受信する際に光バースト信号毎に大きなパワー差が生じる。
【０００５】
このような各々パワーの異なる光バースト信号をＯＬＴ１１で適正に受信するために、バースト受信装置１７が用いられている。つまり、バースト受信装置１７は、ＰＯＮシステム１０の重要な要素の１つとなっている。このバースト受信装置１７は、図１（ｂ）に示すように、光／電気変換回路２１とＡＧＣ（Ａｕｔｏｍａｔｉｃ  Ｇａｉｎ  Ｃｏｎｔｒｏｌ）増幅回路２２を備えて構成されている。
【０００６】
光／電気変換回路２１は、光信号を電気信号に変換するフォトダイオード等の受光素子を用いた回路であり、波長多重装置１６を介して受信された光バースト信号を、各々異なるパワーに応じた振幅の電気バースト信号に変換してＡＧＣ増幅回路２２へ出力する。
【０００７】
ＡＧＣ増幅回路２２は、各々振幅が異なる電気バースト信号を一定振幅に増幅して信号処理装置１８へ出力すると共に、外部からリセット信号が入力された際に、電気バースト信号を一定振幅に増幅するための増幅度を最大値とする初期化を行う。この初期化によって、各々振幅が異なる電気バースト信号、言い換えれば各々パワーが異なる光バースト信号を適正に検出可能となっている。
【０００８】
リセット信号は、ＰＯＮシステム１０内において所定のタイミングで図示せぬリセット信号生成装置で生成されてＡＧＣ増幅回路２２へ入力されるようになっている。即ち、ＯＬＴ１１で順次受信される光バースト信号間には無信号区間であるガードタイムが介在されているので、そのガードタイムにおいてリセット信号が入力されるようになっている。
【０００９】
このようなバースト受信装置１７によって、各ＯＮＵ１２−１〜１２−ｎから受信した各々パワーが異なる光バースト信号を電気バースト信号に変換したのち正確に捕捉し、各々振幅が異なる電気バースト信号を一定振幅に増幅して信号処理装置１８へ出力することができる。従って、信号処理装置１８では、受信した光バースト信号の「Ｈ」レベル、「Ｌ」レベルを正確に検出可能となる。なお、バースト受信装置１７で一定振幅に増幅された信号を受信処理信号と称する。
【００１０】
この種のバースト受信装置として、特許文献１に記載の光受信回路がある。この光受信回路は、同特許文献１に記載のように、バースト通信に適用される回路であって、自動スレショルド電圧制御回路と増幅器によって構成され、リセット信号によって入力信号に対する追随を開始する主増幅器を少なくとも１段備える光受信回路において、初段の主増幅器を構成する増幅器を、入力信号と同相の信号を出力する同相出力端子と、入力信号とは逆相の信号を出力する逆相出力端子を有するリミタ増幅器とし、リセット信号に起因する雑音が継続する期間は該同相出力端子の出力と該逆相出力端子の出力とを加算する構成を備えている。
【００１１】
これによって、初段の主増幅器を構成するリミタ増幅器の２つの入力端子間に雑音が入力された場合、該リミタ増幅器の上記同相出力端子が出力する雑音と上記逆相出力端子が出力する雑音の位相は互いに逆相となる。従って、上記リセット信号に起因する雑音が継続する期間は上記同相出力端子の出力と該逆相出力端子の出力とを加算することによって上記雑音を消去することができ、通信品質の低下を回避することが可能となっている。
【特許文献１】特開２００２−１１１６００号公報
【発明の開示】
【発明が解決しようとする課題】
【００１２】
しかし、特許文献１や上述した図１に示した従来のバースト受信装置は、リセット信号をバースト受信装置の外部装置において、光バースト信号間のガードタイムで光受信装置に入力されるように同期を取って生成する必要があるので、そのバースト受信装置が用いられるＰＯＮシステム等のシステム構成が複雑になるという課題があった。
【００１３】
前記課題を解決するために、本発明は、受信された各々パワーの異なる光バースト信号を適正に検出するための初期化に必要なバースト受信装置のリセット信号を、当該バースト受信装置が適用されるシステム構成が複雑とならないように生成することを目的とする。
【課題を解決するための手段】
【００１４】
上記目的を達成するために、発明者らは、順次受信される各々パワーの異なる光バースト信号を電気バースト信号に変換し、これら電気バースト信号を適正検出可能に増幅する為に必要な初期化用のリセット信号を、その増幅対象の電気バースト信号自体から生成するようにした。
【００１５】
具体的には、バースト信号を処理し、処理の初期化をリセット信号が入力された際に行うバースト受信手段と、前記バースト信号の先端部又は後端部から前記リセット信号を生成するリセット生成手段と、を備えたことを特徴とするバースト受信装置である。
この構成によれば、バースト受信装置の内部で増幅度の初期化用のリセット信号を生成することができるので、従来のようにリセット信号をバースト受信装置の外部でシステム内での同期を考慮しながら生成する必要がなくなる。従って、そのリセット信号を、バースト受信装置の適用システムの構成が複雑とならないように生成することができる。
【００１６】
本発明のバースト光受信装置は、前記リセット生成手段は、前記バースト信号を平滑化して得た平滑化パルス信号と、この平滑化パルス信号を遅延して得た遅延パルス信号とから前記リセット信号を生成するデジタル論理演算回路を備えたことが望ましい。
【００１７】
この構成によれば、リセット信号をバースト信号に同期させて生成することができる。
【００１８】
本発明のバースト受信装置は、前記リセット生成手段は、前記バースト信号を平滑化して得た平滑化パルス信号と、この平滑化パルス信号を遅延して得た遅延パルス信号との排他的論理和演算を行い、この排他的論理和演算の結果得られた信号を前記リセット信号とすることが望ましい。
【００１９】
この構成によれば、リセット信号をバースト信号に同期させて生成することができる。
【００２０】
本発明のバースト受信装置は、前記リセット生成手段は、前記排他的論理和演算の結果得られた信号の内、前記バースト信号の先端部に対応する信号及び後端部に対応する信号の何れか一方をマスク処理し、マスク処理されない信号を前記リセット信号とすることが望ましい。
【００２１】
この構成によれば、リセット信号をバースト信号に同期させて生成する際に、当該バースト信号の先端部に対応したリセット信号又は、後端部に対応したリセット信号を的確に生成することができる。
【００２２】
本発明のバースト受信装置は、前記リセット生成手段は、前記バースト信号を平滑化して得た平滑化パルス信号、及び、前記平滑化パルス信号を遅延した遅延パルス信号の何れか一方の信号と、他方の信号を反転した信号との論理積演算を行い、この論理積演算の結果得られた信号を前記リセット信号とすることが望ましい。
【００２３】
この構成によれば、リセット信号をバースト信号に同期させて生成する際に、当該バースト信号の先端部に対応したリセット信号又は、後端部に対応したリセット信号を的確に生成することができる。
【００２４】
本発明のバースト受信装置は、前記処理がバースト信号を一定振幅に増幅する処理、バースト信号の中間レベルにスレッショールドレベルを合わせて増幅する処理、及び、バースト信号の中間レベルがスレッショールドレベルとなるようにオフセットレベルを合わせて増幅する処理の何れか１つ又はそれらの組合せであることが望ましい。
【００２５】
この構成によれば、バースト受信装置の内部で増幅度の初期化用、スレッショールドレベルの初期化用、及び、オフセットレベルの初期化用の何れか１つのリセット信号、又はそれらを組み合わせた際の初期化用のリセット信号を生成することができるので、従来のようにリセット信号をバースト受信装置の外部でシステム内での同期を考慮しながら生成する必要がなくなる。従って、そのリセット信号を、バースト受信装置の適用システムの構成が複雑とならないように生成することができる。
【００２６】
本発明のバースト受信装置は、受信した光バースト信号を電気バースト信号に変換する光／電気変換手段を有し、前記バースト信号からリセット信号を生成してもよい。この構成によれば、光バースト信号を変換した電気バースト信号の場合であっても、上述同様の作用効果を得ることができる。
【発明の効果】
【００２７】
本発明によれば、受信された各々パワーの異なる光バースト信号を適正に検出するための初期化に必要なバースト受信装置のリセット信号を、当該バースト受信装置が適用されるシステム構成が複雑とならないように生成するバースト受信装置を提供することができる。
【発明を実施するための最良の形態】
【００２８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２９】
図２は、本発明の実施形態に係るバースト受信装置の構成を示すブロック図である。この図２に示すバースト受信装置３０が、図１に示した従来のバースト受信装置１７と異なる点は、光／電気変換手段としての光／電気変換回路２１及びバースト受信手段としてのＡＧＣ増幅回路２２の他に、リセット生成回路３１を更に備えて構成したことにある。
【００３０】
リセット生成手段としてのリセット生成回路３１は、波長多重装置１６（図１参照）を介して受信された光バースト信号Ｓ１が光／電気変換回路２１で電気信号に変換された電気バースト信号Ｓ２を用いてリセット信号Ｓ３を生成し、これをＡＧＣ増幅回路２２へ入力するものであり、図３に示すように、ＬＰＦ（ローパスフィルタ）回路３３と、遅延回路３４と、ＥＸＯＲ（排他的論理和）回路３５とを備えて構成されている。
【００３１】
ＬＰＦ回路３３は、電気バースト信号Ｓ２を平滑化する処理を行い、この処理で得られる平滑化パルス信号Ｓ４を遅延回路３４へ出力するものである。即ち、図４（ａ）に示す光バースト信号Ｓ１が光／電気変換回路２１で変換された（ｂ）に示す電気バースト信号Ｓ２を平滑化する処理を行い、この処理で得られる（ｃ）に示す平滑化パルス信号Ｓ４を遅延回路３４へ出力する。
【００３２】
なお、（ａ）〜（ｃ）において各信号Ｓ１，Ｓ２，Ｓ３の波形を時間的にずらして表記したのは、各回路２１，３４での僅かな遅延を表現したものである。従って、光バースト信号Ｓ１は、時刻ｔ１〜ｔ４間及びｔ７〜ｔ１０間のバーストタイムで受信されたものとし、これが電気バースト信号Ｓ２に変換され、更に時刻ｔ２〜ｔ５間及びｔ８〜ｔ１１間の平滑化パルス信号Ｓ４に変換されたものとする。また、バーストタイムの間であるｔ４〜ｔ７は信号が受信されないガードタイムである。
【００３３】
遅延回路３４は、平滑化パルス信号Ｓ４を所定時間遅延する処理を行い、この処理で得られる遅延パルス信号Ｓ５をＥＸＯＲ回路（排他的論理和回路）３５へ出力するものである。ここでは、（ｃ）に示す時刻ｔ２〜ｔ５間及びｔ８〜ｔ１１間の平滑化パルス信号Ｓ４を、（ｄ）に示すように、時刻ｔ３〜ｔ６間及びｔ９〜ｔ１２間に遅延し、これを遅延パルス信号Ｓ５とした。
【００３４】
ＥＸＯＲ回路３５は、（ｄ）に示す遅延パルス信号Ｓ５と（ｃ）に示す平滑化パルス信号Ｓ４との排他的論理和演算を行い、この演算で得られる（ｅ）の時刻ｔ２及びｔ３間、ｔ５及びｔ６間、ｔ８及びｔ９間、ｔ１１及びｔ１２間に示す短時間のパルス状のリセット信号Ｓ３を、ＡＧＣ増幅回路２２へ出力するものである。
【００３５】
ＡＧＣ増幅回路２２では、そのリセット信号Ｓ３で増幅度を最大とするリセット（初期化）が行われるが、このリセットは、（ｆ）に示すように、電気バースト信号Ｓ２の先端部、つまり光バースト信号Ｓ１の先頭部（先端部）に配置されたプリアンブル（同期用捨てデータ）区間内で行うようにタイミングがとってある。つまり、光バースト信号Ｓ１の先端部からリセット信号Ｓ３を生成し、同光バースト信号Ｓ１を電気信号に変換した電気バースト信号Ｓ２のプリアンブル区間でリセットを行うようにした。
【００３６】
プリアンブルは、方式上十分な時間でバースト先頭部に配置されるので、このプリアンブル区間内でリセットを行えばプリアンブル信号が破損されても、この後続に配置された必要信号部分は破壊されることがない。更に、リセット信号Ｓ３は、電気バースト信号Ｓ２の先端部のみならず、後端部からも生成されるが、この後端部のリセット信号Ｓ３は電気バースト信号Ｓ２の最後尾を過ぎたガードタイムで生成されるので、必要信号部分に影響を与えることはない。
【００３７】
このようなリセット生成回路３１を備えた本実施形態のバースト受信装置３０を、図１に示したＰＯＮシステム１０において、ＯＬＴ１１内の従来のバースト受信装置１７の代わりに用いて光バースト信号Ｓ１を受信する場合の動作を説明する。
【００３８】
ＰＯＮシステム１０では、各ＯＮＵ１２−１〜１２−ｎから各光ファイバ１３−１〜１３−ｎを介して個別に送信されたバースト状のパケット光信号が、光カプラ１４で結合されたのち１本の光ファイバ１５を経由し、ＯＬＴ１１の波長多重装置１６で時分割多重されてバースト受信装置３０で順次受信される。この受信される光バースト信号Ｓ１は、各ＯＮＵ１２−１〜１２−ｎとＯＬＴ１１との距離差に応じて、図４（ａ）に示すように、各々パワーが異なって受信される。
【００３９】
この受信された光バースト信号Ｓ１は、光／電気変換回路２１で（ｂ）に示すように、各パワーに応じて異なる振幅の電気バースト信号Ｓ２に変換され、更に、リセット生成回路３１のＬＰＦ回路３３で（ｃ）に示すように平滑化されて平滑化パルス信号Ｓ４とされる。
【００４０】
この平滑化パルス信号Ｓ４は、そのままＥＸＯＲ回路３５へ出力されると共に、遅延回路３４で（ｄ）に示すように遅延されてＥＸＯＲ回路３５に入力される。ＥＸＯＲ回路３５では、その遅延パルス信号Ｓ５と平滑化パルス信号Ｓ４との排他的論理和演算が実行され、この結果、（ｅ）に示すパルス状のリセット信号Ｓ３が生成され、ＡＧＣ増幅回路２２へ出力される。
【００４１】
ＡＧＣ増幅回路２２では、既に電気バースト信号Ｓ２のプリアンブル区間の一部が入力されており、（ｆ）に時刻ｔ２及びｔ３間、ｔ８及びｔ９間で示すように、そのタイミングでリセット信号Ｓ３が入力されるので、プリアンブル区間にてＡＧＣ増幅のための増幅度が最大に初期化される。この初期化によって、（ｆ）又は（ｂ）に示すように、電気バースト信号Ｓ２の振幅が異なっていたとしても、その振幅が適正に検出されて（ｇ）に示すように一定振幅に増幅され、この増幅された受信処理信号Ｓ６が信号処理装置１８へ出力される。言い換えれば（ａ）に示すように、受信された光バースト信号Ｓ１のパワーが異なっていたとしても、これら光バースト信号Ｓ１を適正に検出することができる。
【００４２】
このように本実施形態のバースト受信装置３０によれば、順次受信される各々パワーの異なる光バースト信号Ｓ１を電気バースト信号Ｓ２に変換し、これら電気バースト信号Ｓ２を一定振幅に増幅するための増幅度を最大とする初期化用のリセット信号Ｓ３を、増幅対象となる電気バースト信号Ｓ２の先端部、つまり光バースト信号Ｓ１の先端部から生成するようにした。この先端部は、信号破壊が生じても問題の無いプリアンブル区間であるので、このプリアンブル区間でリセット信号Ｓ３による初期化が行われても光バースト信号Ｓ１の必要部分に何ら問題が生じることはない。
【００４３】
また、光バースト信号Ｓ１の先端部からリセット信号Ｓ３を生成するために、ＬＰＦ回路３３で光バースト信号Ｓ１を平滑化した平滑化パルス信号Ｓ４と、この平滑化パルス信号Ｓ４を遅延回路３４で遅延して得た遅延パルス信号Ｓ５との排他的論理和演算をＥＸＯＲ回路３５で行い、この排他的論理和演算の結果得られた信号をリセット信号Ｓ３とするようにした。
【００４４】
このようにバースト受信装置３０の内部で増幅度の初期化用のリセット信号Ｓ３を生成するようにしたので、従来のようにリセット信号をバースト受信装置の外部装置でＰＯＮシステム１０内での同期を考慮しながら生成する必要がなくなる。このため、バースト受信装置が用いられるＰＯＮシステム１０等のシステム構成が複雑になるという問題を無くすことができる。言い換えれば、バースト受信装置３０の増幅度の初期化用のリセット信号Ｓ３を、バースト受信装置３０が適用されるシステム構成が複雑とならないように生成することができる。
【００４５】
この他、リセット生成回路３１を、図５（ａ）又は（ｂ）に示すように構成してもよい。図５（ａ）に示すリセット生成回路３１−１は、上述したリセット信号Ｓ３のうち光バースト信号Ｓ１の後端部に対応するパルス信号をマスク処理し、このマスク処理されない先端部のパルス信号をリセット信号Ｓ３−１として出力するＡＮＤ回路３７を更に備えて構成したものである。
【００４６】
即ち、ＡＮＤ回路３７によって、ＥＸＯＲ回路３５から出力される図６（ｅ）に示すパルス信号（上述のリセット信号と区別のため異なる名称とした）Ｓ３と、ＬＰＦ回路３３から出力される図６（ｃ）に示す平滑化パルス信号Ｓ４との論理積演算を行い、この結果得られる図６（ｆ）に示すような、光バースト信号Ｓ１の先端部のみに対応するパルス状のリセット信号Ｓ３−１を出力するようにした。
【００４７】
このリセット信号Ｓ３−１を用いれば、前述で説明したと同様に図６（ｇ）に示すように、電気バースト信号Ｓ２のプリアンブル区間でＡＧＣ増幅回路２２の増幅度を最大とする初期化を行うことができるので、この初期化によって、同（ｇ）又は（ｂ）に示すように、電気バースト信号Ｓ２の振幅が異なっていたとしても、その振幅が適正に検出されて図６（ｈ）に示すように一定振幅に増幅され、この増幅された受信処理信号Ｓ６が信号処理装置１８へ出力される。つまり、図６（ａ）に示すように、受信された光バースト信号Ｓ１のパワーが異なっていたとしても、これら光バースト信号Ｓ１を適正に検出することができる。
【００４８】
一方、図５（ｂ）に示すリセット生成回路３１−２は、上述したリセット信号Ｓ３のうち光バースト信号Ｓ１の先端部に対応するパルス信号をマスク処理し、このマスク処理されない後端部に対応するパルス信号をリセット信号Ｓ３−２として出力するＡＮＤ回路３８を更に備えて構成したものである。
【００４９】
即ち、ＡＮＤ回路３８によって、ＥＸＯＲ回路３５から出力される図６（ｅ）に示すパルス信号Ｓ３と、遅延回路３４から出力される図６（ｄ）に示す遅延パルス信号Ｓ５との論理積演算を行い、この結果得られる図６（ｉ）に示すような、光バースト信号Ｓ１の後端部のみに対応するパルス状のリセット信号Ｓ３−２を出力するようにした。このリセット信号Ｓ３−２は、図６（ｊ）との比較から分かるように、時刻ｔ５、ｔ１１で示す電気バースト信号Ｓ２の最後尾を過ぎたガードタイムで生成されるので、必要信号部分に影響を与えることはない。
【００５０】
従って、電気バースト信号Ｓ２の最後尾を過ぎたガードタイムでＡＧＣ増幅回路２２の増幅度を最大とする初期化を行うことができるので、この初期化によって、図６（ｊ）に示すように電気バースト信号Ｓ２の振幅が異なっていたとしても、その振幅が適正に検出されて（ｋ）に示すように一定振幅に増幅され、この増幅された受信処理信号Ｓ６が信号処理装置１８へ出力される。つまり、受信された光バースト信号Ｓ１のパワーが異なっていたとしても、これら光バースト信号Ｓ１を適正に検出することができる。
【００５１】
更に、前述のリセット生成回路３１に代え、図７に示すリセット生成回路３１−３を用いてもよい。このリセット生成回路３１−３は、図２及び図３に示したリセット生成回路３１のＥＸＯＲ回路３５の代わりにＡＮＤ回路（論理積回路）４０を用い、このＡＮＤ回路４０と遅延回路３４との間にインバータ回路４１を接続して構成したものである。即ち、図７の（ａ）〜（ｃ）にタイミングチャートで示すように、遅延回路３４から出力される遅延パルス信号Ｓ５（図４参照）をインバータ回路４１で反転した反転パルス信号Ｓ５ａと、ＬＰＦ回路３３から出力される平滑化パルス信号Ｓ４との論理積演算をＡＮＤ回路４０で行うと、この結果、時刻ｔ２とｔ３間、時刻ｔ８とｔ９間で「Ｈ」レベルとなるパルス状のリセット信号Ｓ３−３が得られる。このリセット信号Ｓ３−３によっても上述同様に、ＡＧＣ増幅回路２２を初期化することができる。
【００５２】
更には、図８に示すリセット生成回路３１−４を用いてもよい。このリセット生成回路３１−４もＥＸＯＲ回路３５の代わりにＡＮＤ回路４０を用い、このＡＮＤ回路４０とＬＰＦ回路３３との間にインバータ回路４２を接続して構成したものである。即ち、図８の（ａ）〜（ｃ）にタイミングチャートで示すように、ＬＰＦ回路３３から出力される平滑化パルス信号Ｓ４（図４参照）をインバータ回路４２で反転した反転パルス信号Ｓ４ａと、遅延回路３４から出力される遅延パルス信号Ｓ５との論理積演算をＡＮＤ回路４０で行うと、この結果、時刻ｔ５とｔ６間、時刻ｔ１１とｔ１２間で「Ｈ」レベルとなるパルス状のリセット信号Ｓ３−４が得られる。このリセット信号Ｓ３−４によっても上述同様に、ＡＧＣ増幅回路２２を初期化することができる。
上記構成に限らず、各種論理演算回路を適宜組み合わせることにより、パルス状のリセット信号を生成することが可能である。
【００５３】
更に、この他、バースト受信手段としてＡＧＣ増幅回路２２に代え、ＡＴＣ（Ａｕｔｏｍａｔｉｃ  ｔｈｒｅｓｈｏｌｄ  Ｃｏｎｔｒｏｌ）増幅回路又は、ＡＯＣ（Ａｕｔｏ  Ｏｆｆｓｅｔ  Ｃｏｎｔｒｏｌ）増幅回路を用いても同様に上述した各リセット信号Ｓ３，Ｓ３−１，Ｓ３−２の何れかを次に記載するように用いることができる。
【００５４】
ＡＴＣ増幅回路は、光／電気変換回路２１で変換された電気バースト信号Ｓ２の中間レベルにスレッショールドレベルを合わせて増幅する処理を行うが、この際、そのスレッショールドレベルの初期化を、各リセット信号Ｓ３，Ｓ３−１，Ｓ３−２の何れかが入力された際に行うようにすればよい。この処理においても、前述したと同様に、各々パワーの異なる光バースト信号Ｓ１を適正に受信して検出することができる。
【００５５】
ＡＯＣ増幅回路は、光／電気変換回路２１で変換された電気バースト信号Ｓ２の中間レベルがスレッショールドレベルとなるようにオフセットレベルを合わせて増幅する処理を行うが、この際、そのオフセットレベルの初期化を、各リセット信号Ｓ３，Ｓ３−１，Ｓ３−２の何れかが入力された際に行うようにすればよい。この処理においても、前述したと同様に、各々パワーの異なる光バースト信号Ｓ１を適正に受信して検出することができる。
更には、ＡＧＣ増幅回路、ＡＯＣ増幅回路、ＡＴＣ増幅回路の２つ以上を適時組み合わせてもよい。なお、バースト受信装置において受信信号である光バースト信号の増幅回路として用いられるＴＩＡ（Ｔｒａｎｓｉｍｐｅｄａｎｃｅ  Ａｍｐｌｉｆｉｅｒ）ではＡＯＣ増幅回路が、ＬＩＭ（Ｌｉｍｉｔｉｎｇ  Ａｍｐｌｉｆｉｅｒ）ではＡＧＣ増幅回路、ＡＯＣ増幅回路、ＡＴＣ増幅回路が適宣組み合わされる。
但し、本実施形態のバースト受信装置は、受信信号が光バースト信号のケースについて説明したが、ベースバンド電気バースト信号や無線電気バースト信号等にも適用することができる。
【００５６】
（実施例）
次に、上述したバースト受信装置の実施例の回路構成を図９に示し、その説明を行う。図９に示すバースト受信装置３０−１は、光／電気変換回路がＡＰＤ（Ａｖａｌａｎｃｈｅ  Ｐｈｏｔｏ  Ｄｉｏｄｅ）５１及びカレントミラー回路５２を有して構成され、受信信号の増幅回路がトランスインピーダンス型ＡＧＣ増幅回路５４及びＡＯＣ付リミッタ増幅回路５５を有して構成され、リセット生成回路が抵抗器Ｒ１，Ｒ２，Ｒ３を組合わせた演算増幅回路５７、比較回路５８、遅延回路３４及びＥＸＯＲ回路３５を有して構成されている。
【００５７】
但し、演算増幅回路５７の反転入力端子「−」と出力端子との間には抵抗器Ｒ１が接続され、非反転入力端子「＋」には、電源Ｖとアース間に直列接続された抵抗器Ｒ２及びＲ３の中間部分が接続され、これによる基準電圧が印加されている。
このような構成において、光バースト信号Ｓ１がＡＰＤ５１に入射されると、当該ＡＰＤ５１でその入射光に応じた電流が流れ、この電流である電流信号Ｓ１ａがトランスインピーダンス型ＡＧＣ増幅回路５４に入力される。これと同時に、ＡＰＤ５１に流れたと同じ電流がカレントミラー回路５２にも流れ、この電流に比例した電流信号Ｓ１ｂが演算増幅回路５７の反転入力端子「−」へ出力される。
【００５８】
演算増幅回路５７では、その電流信号Ｓ１ａが基準電圧に応じて電圧信号に変換されて出力される。この電圧信号中のバースト信号成分が比較回路５８でパルス信号として検出され、このパルス信号を含んで平滑化パルス信号Ｓ４として、そのままＥＸＯＲ回路３５へ出力されると共に、遅延回路３４で遅延され、遅延パルス信号Ｓ５としてＥＸＯＲ回路３５に入力される。ＥＸＯＲ回路３５では、その遅延パルス信号Ｓ５と平滑化パルス信号Ｓ４との排他的論理和演算が実行され、この結果得られるリセット信号Ｓ３が、トランスインピーダンス型ＡＧＣ増幅回路５４及びＡＯＣ付リミッタ増幅回路５５へ出力される。
【００５９】
トランスインピーダンス型ＡＧＣ増幅回路５４では、上記の電流信号Ｓ１ａが電圧に変換され、このうち各々振幅が異なるバースト信号が一定振幅に増幅されてＡＯＣ付リミッタ増幅回路５５へ出力される。ＡＯＣ付リミッタ増幅回路５５では、その一定振幅に増幅された信号の中間レベルがスレッショールドレベルとなるようにオフセットレベルが合わされて増幅される処理が行われ、これが受信処理信号Ｓ６として出力される。
【００６０】
また、トランスインピーダンス型ＡＧＣ増幅回路５４では、リセット信号Ｓ３が入力された際にバースト信号が一定振幅に増幅されるための増幅度が最大値とされる初期化が行われ、ＡＯＣ付リミッタ増幅回路５５では、オフセットレベルの初期化が行われる。これらの初期化によって、各々振幅が異なるバースト信号、言い換えれば各々パワーが異なる光バースト信号を適正に検出することができる。
【産業上の利用可能性】
【００６１】
本発明のバースト受信装置は、大容量伝送が可能なＦＴＴＨ（Ｆｉｂｅｒ  Ｔｏ  Ｈｏｍｅ）等の光アクセス網に適用することができる。
【図面の簡単な説明】
【００６２】
【図１】（ａ）ＰＯＮシステムの構成を示すブロック図、（ｂ）従来のバースト受信装置の構成を示すブロック図である。
【図２】本発明の実施形態に係るバースト受信装置の構成を示すブロック図である。
【図３】リセット生成回路の構成を示すブロック図である。
【図４】上記実施形態のバースト受信装置の動作を説明するためのタイミングチャートである。
【図５】上記リセット生成回路の他の構成を示し、（ａ）は光バースト信号の後端部からの生成パルス信号のマスク処理を行うブロック構成図、（ｂ）は光バースト信号の先端部からの生成パルス信号のマスク処理を行うブロック構成図である。
【図６】上記マスク処理を行うバースト受信装置の動作を説明するためのタイミングチャートである。
【図７】上記リセット生成回路の他の構成を示し、（ａ）は平滑化パルス信号、（ｂ）は反転パルス信号、（ｃ）はリセット信号のタイミングチャートである。
【図８】上記リセット生成回路の他の構成を示し、（ａ）は反転パルス信号、（ｂ）は遅延パルス信号、（ｃ）はリセット信号のタイミングチャートである。
【図９】本発明の実施例のバースト受信装置の回路構成を示すブロック図である。
【符号の説明】
【００６３】
１０：ＰＯＮシステム
１１：ＯＬＴ（光加入者線局内装置）
１２−１〜１２−ｎ：ＯＮＵ（光加入者線宅内装置）
１３−１〜１３−ｎ，１５：光ファイバ
１４：光カプラ
１６：波長多重装置
１７，３０，３０−１：バースト受信装置
１８：信号処理装置
１９：電気／光変換装置
２１：光／電気変換回路
２２：ＡＧＣ増幅回路
３１，３１−１，３１−２，３１−３，３１−４：リセット生成回路
３３：ＬＰＦ回路
３４：遅延回路
３５：ＥＸＯＲ回路
３７，３８，４０：ＡＮＤ回路
４１，４２：インバータ回路
５１：ＡＰＤ
５２：カレントミラー回路
５４：トランスインピーダンス型ＡＧＣ増幅回路
５５：ＡＯＣ付リミッタ増幅回路
５７：演算増幅回路
５８：比較回路
Ｓ１：光バースト信号
Ｓ１ａ，Ｓ１ｂ：電流信号
Ｓ２：電気バースト信号
Ｓ３，Ｓ３−１，Ｓ３−２，Ｓ３−３，Ｓ３−４：リセット信号
Ｓ４：平滑化パルス信号
Ｓ４ａ：反転パルス信号
Ｓ５：遅延パルス信号
Ｓ５ａ：反転パルス信号
Ｓ６：受信処理信号
【図１】
0004975662.tif 000002
【図２】
0004975662.tif 000003
【図３】
0004975662.tif 000004
【図４】
0004975662.tif 000005
【図５】
0004975662.tif 000006
【図６】
0004975662.tif 000007
【図７】
0004975662.tif 000008
【図８】
0004975662.tif 000009
【図９】
0004975662.tif 000010